(57)【特許請求の範囲】
【請求項１】
カラオケ装置と、サーバを備える楽曲投稿システムであって、
前記カラオケ装置は、第１通信手段と、演奏手段と、第１制御手段と、を備え、
前記第１通信手段は、前記サーバと通信可能とし、
前記演奏手段は、楽曲情報に基づいて演奏可能とし、
前記第１制御手段は、ログイン処理と、演奏処理と、採点処理と、決済処理と、投稿処理とを実行可能とし、
前記ログイン処理は、ユーザをログイン可能とし、
前記演奏処理は、指定された楽曲識別情報に対応する楽曲情報を前記演奏手段に演奏させるとともに、マイクロホンから入力されるユーザの歌唱音声を歌唱音声情報として録音し、
前記採点処理は、前記演奏処理に同期してユーザの歌唱音声を採点し、
前記決済処理は、ユーザの有価情報を使用した決済に基づいて投稿処理を許可するとともに、前記採点処理の採点結果に応じて前記投稿処理に必要な有価情報を無料とする、あるいは、減額し、
前記投稿処理は、前記演奏処理で楽曲を指定したユーザのユーザ識別情報と、前記演奏処理で指定された楽曲識別情報と、録音された歌唱音声情報を含んだ投稿情報を前記サーバに送信し、
前記サーバは、第２通信手段と、第２制御手段と、を備え、
前記第２通信手段は、前記カラオケ装置、通信接続された各種情報処理装置と通信可能とし、
前記第２制御手段は、公開処理と、決済無効処理と、を実行可能とし、
前記公開処理は、前記カラオケ装置から送信された投稿情報中の歌唱音声情報を、前記カラオケ装置もしくは通信接続された各種情報処理装置に公開するとともに、歌唱音声情報の公開に基づく第１の評価情報を集計し、
前記決済無効処理は、前記公開処理により歌唱音声情報に対する前記第１の評価情報が所定値以上となった場合、当該歌唱音声情報の前記投稿処理に対して実行された前記決済処理を無効、あるいは、決済された有価情報を減額することを特徴とする
楽曲投稿システム。
【請求項２】
前記第２制御手段は、前記公開処理で公開した歌唱音声情報に対する第２の評価情報に基づいて、当該歌唱音声情報の録音に使用した楽曲の採点基準、あるいは、前記決済処理における無料、減額基準を修正する修正処理を実行することを特徴とする
請求項１に記載の楽曲投稿システム。
【請求項３】
前記第１制御手段は、前記決済無効処理の対象となった歌唱音声情報を投稿したユーザに対して、前記決済無効処理が行われた旨を通知する通知処理を実行することを特徴とする
請求項１または請求項２に記載の楽曲投稿システム。
【発明の詳細な説明】
【技術分野】
【０００１】
本発明は、カラオケ装置における歌唱を通信回線を介して公開可能な楽曲投稿システムに関するものである。
【背景技術】
【０００２】
従来、楽曲の演奏に合わせて歌唱を楽しむカラオケ装置が知られている。現在、カラオケ装置では、歌唱を楽しむのみならず、録音した歌唱音声（あるいは録画した動画）を、ネットワーク上で公開し、幅広いユーザに見て貰うといった投稿サービスが行われている。特許文献１には、歌唱楽曲をインターネットに公開し、インターネットを閲覧した人から審査して貰うカラオケオーディション装置が開示されている。
【先行技術文献】
【特許文献】
【０００３】
【特許文献１】特開２００６−９１９０１号公報
【発明の概要】
【発明が解決しようとする課題】
【０００４】
投稿サービスでは、優良なコンテンツを多く収集することで、利用するユーザにとって魅力あるサービスとなることが考えられる。一方、投稿された歌唱音声の管理、公開などには費用がかかることとなる。特許文献１に開示されるカラオケオーディション装置では、自分の歌唱を審査して貰う、すなわち、オーディションの登録を有料サービスとすることで、事業者側が収入を得ることが可能である。このように、歌唱音声を投稿する際、ユーザから料金を徴収することが考えられるが、料金の徴収は、優良なコンテンツを収集するという目的に対して障壁となることが考えられる。すなわち、多くのユーザにとって魅力有る歌唱を行う投稿者であったとしても、料金がかかることを理由に投稿を躊躇することが考えられる。
【０００５】
本発明は、カラオケの投稿サービスにおいて、優良なコンテンツを数多く収集することで、魅力ある投稿サービスを実現すること、並びに、投稿サービスの運営にかかる費用を賄うことの両立を図ることを目的とするものである。
【課題を解決するための手段】
【０００６】
上述する課題を解決するため、本発明に係る楽曲投稿システムは以下の構成を採用するものである。
カラオケ装置と、サーバを備える楽曲投稿システムであって、
前記カラオケ装置は、第１通信手段と、演奏手段と、第１制御手段と、を備え、
前記第１通信手段は、前記サーバと通信可能とし、
前記演奏手段は、楽曲情報に基づいて演奏可能とし、
前記第１制御手段は、ログイン処理と、演奏処理と、採点処理と、決済処理と、投稿処理とを実行可能とし、
前記ログイン処理は、ユーザをログイン可能とし、
前記演奏処理は、指定された楽曲識別情報に対応する楽曲情報を前記演奏手段に演奏させるとともに、マイクロホンから入力されるユーザの歌唱音声を歌唱音声情報として録音し、
前記採点処理は、前記演奏処理に同期してユーザの歌唱音声を採点し、
前記決済処理は、ユーザの有価情報を使用した決済に基づいて投稿処理を許可するとともに、前記採点処理の採点結果に応じて前記投稿処理に必要な有価情報を無料とする、あるいは、減額し、
前記投稿処理は、前記演奏処理で楽曲を指定したユーザのユーザ識別情報と、前記演奏処理で指定された楽曲識別情報と、録音された歌唱音声情報を含んだ投稿情報を前記サーバに送信し、
前記サーバは、第２通信手段と、第２制御手段と、を備え、
前記第２通信手段は、前記カラオケ装置、通信接続された各種情報処理装置と通信可能とし、
前記第２制御手段は、公開処理と、決済無効処理と、を実行可能とし、
前記公開処理は、前記カラオケ装置から送信された投稿情報中の歌唱音声情報を、前記カラオケ装置もしくは通信接続された各種情報処理装置に公開するとともに、歌唱音声情報の公開に基づく第１の評価情報を集計し、
前記決済無効処理は、前記公開処理により歌唱音声情報に対する前記第１の評価情報が所定値以上となった場合、当該歌唱音声情報の前記投稿処理に対して実行された前記決済処理を無効、あるいは、決済された有価情報を減額することを特徴とする。
【０００８】
さらに本発明に係る楽曲投稿システムにおいて、
前記第２制御手段は、前記公開処理で公開した歌唱音声情報に対する第２の評価情報に基づいて、当該歌唱音声情報の録音に使用した楽曲の採点基準、あるいは、前記決済処理における無料、減額基準を修正する修正処理を実行することを特徴とする。
【０００９】
さらに本発明に係る楽曲投稿システムにおいて、
前記第１制御手段は、前記決済無効処理の対象となった歌唱音声情報を投稿したユーザに対して、前記決済無効処理が行われた旨を通知する通知処理を実行することを特徴とする。
【発明の効果】
【００１０】
本発明に係る楽曲投稿システム、カラオケ装置によれば、投稿時にユーザから有価情報を徴収するとともに、歌唱音声情報の公開時、閲覧したユーザから評価情報を取得し、評価情報に基づいて投稿時に徴収された有価情報を無料、もしくは、減額することにより、優良なコンテンツ（歌唱音声情報）を投稿したユーザに対しては、更なる投稿意欲を掻き立て、楽曲投稿システムを魅力あるものとするとともに、楽曲投稿システムの運営にあたって必要となる費用を賄うことを可能とするものである。
【００１１】
さらに本発明に係る楽曲投稿システムによれば、カラオケ装置で行われた採点処理に基づいて、投稿に必要な有価情報を無料、もしくは、減額することで、採点処理にて優良なコンテンツと推定される場合には、その投稿に対する障壁を緩和させることが可能となる。
【００１２】
さらに本発明に係る楽曲投稿システムによれば、歌唱音声情報に対する評価情報を、採点処理における採点基準、あるいは、決済処理における無料、減額基準に反映させることで、採点処理における機械的な評価を、公開時におけるユーザの評価に整合させることが可能となる。
【００１３】
さらに本発明に係る楽曲投稿システムによれば、決済無効処理の対象となった歌唱音声情報を投稿したユーザに対して、決済無効処理が行われた旨を通知することで、自分の投稿に対する好評価を知ることが可能となる。
【図面の簡単な説明】
【００１４】
【図１】本発明の実施形態に係る楽曲投稿システムの構成を説明する図
【図２】本発明の実施形態に係るカラオケシステムの構成を示す図
【図３】本発明の実施形態に係る各種情報のデータ構成を示す図
【図４】本発明の実施形態に係るシステムフロー図（１／４）
【図５】本発明の実施形態に係るシステムフロー図（２／４）
【図６】本発明の実施形態に係るシステムフロー図（３／４）
【図７】本発明の実施形態に係るシステムフロー図（４／４）
【図８】本発明の実施形態に係る楽曲確認画面を示す図
【図９】本発明の実施形態に係る投稿確認画面を示す図
【図１０】本発明の実施形態に係る投稿情報選択画面を示す図
【図１１】本発明の実施形態に係る投稿情報視聴画面を示す図
【図１２】本発明の実施形態に係る通知メール画面を示す図
【発明を実施するための形態】
【００１５】
では、本発明に係る楽曲投稿システムについて、図を参照しつつその説明を行う。図１は、本発明の実施形態に係る楽曲投稿システムの構成を説明する図である。本発明に係る楽曲投稿システムは、カラオケ装置、リモコン装置を含んで構成されるカラオケシステムと、各種サーバ（楽曲配信サーバ、ユーザ管理サーバ、投稿サーバ）を有して構成される。本実施形態では、楽曲配信サーバ、ユーザ管理サーバ、投稿サーバ、機能の異なる３つのサーバで管理しているが、これらサーバは、１つのサーバでまとめて管理することとしてもよい。
【００１６】
カラオケシステムと、各種サーバは、インターネットなどの通信回線を介して通信接続されている。また、ユーザ管理サーバ、投稿サーバは、ユーザが所有するパーソナルコンピュータ、携帯電話、スマートホン等の情報処理端末と、通信回線を介して通信接続可能としている。また、楽曲配信サーバは、楽曲作成環境に設置されているパーソナルコンピュータ等の情報処理装置と通信回線を介して通信接続可能としている。
【００１７】
カラオケシステムは、カラオケボックスやスナック等のナイト店に設置、管理されるシステムであって、楽曲配信サーバから配信される楽曲情報に基づき演奏を実行する。カラオケシステムを利用する顧客は、楽曲情報の演奏にあわせて歌唱を楽しむことが可能である。楽曲配信サーバから配信される楽曲情報は、楽曲制作環境下に設置される情報処理装置からアップロードされ、楽曲配信サーバ内の楽曲データベースで蓄積、管理される。
【００１８】
ユーザ管理サーバは、カラオケシステムを利用するユーザ、並びに、投稿情報を視聴するユーザを管理するために設置されたサーバである。このユーザ管理サーバのユーザデータベースに蓄積されたユーザ情報を利用することで、カラオケシステム利用時のお気に入り楽曲の管理、投稿情報の視聴管理など、登録ユーザに対して各種サービスを提供することが可能となっている。また、本実施形態の楽曲投稿システムでは、有償サービスを提供することを可能としており、有価情報としてのポイントを管理することを可能としている。なお、有価情報としてはポイントに限らず、実際の金銭を管理対象としてもよい。
【００１９】
投稿サーバは、カラオケシステムで録画された歌唱の様子を、パーソナルコンピュータ等のユーザ端末に公開するためのサーバである。カラオケシステムで録画された録画情報は、投稿情報として投稿サーバの投稿データベースで蓄積され、ユーザ端末からの要求に応じて配信され、ユーザ端末にて視聴される。本実施形態の投稿サーバでは、視聴したユーザによるアンケート回答を受け付け可能としている。
【００２０】
楽曲配信サーバ、ユーザ管理サーバ、投稿サーバ間も通信接続されており、これらサーバ間にて、必要とされる各種情報のやり取りを可能としている。本実施形態の楽曲投稿シ
ステムは、このようにカラオケシステムで歌唱された様子を、投稿情報として投稿サーバに送信・蓄積しておき、ユーザ端末側でユーザに視聴させることで、歌唱の様子を広く公開することを可能とするものである。
【００２１】
図２は、本発明の実施形態に係るカラオケシステムの構成を示す図である。本実施形態におけるカラオケシステムは、カラオケ装置２（コマンダ）と、リモコン装置１を含んで構成されている。なお、図２に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２６】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２７】
さらに、カラオケ装置２には、カメラ４３が接続されており、制御部３０は、カメラ４３で撮像した撮像情報を取り込み、モニタ４１に対するリアルタイム表示、撮像情報の録画などを可能としている。
【００２８】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に
記憶する予約テーブルに登録する。楽曲再生処理は、予約された楽曲を再生させる処理であって、演奏処理と歌詞再生処理とが同期して実行される処理である。
【００２９】
演奏処理は、楽曲データに含まれる演奏データを音響制御部７０にて演奏させる処理である。音響制御部７０にて演奏された演奏音は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。本実施形態では、ユーザインタフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３１】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３２】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
また、ＬＡＮ１００は、ルータ１２０とインターネットを介し、各種サーバ（楽曲配信サーバ、ユーザ管理サーバ、投稿サーバ）と接続されている。
【００３４】
では、本発明の楽曲投稿システムで取り扱う各種情報のデータ構成について説明する。図３（Ａ）には、楽曲情報のデータ構成が示されている。楽曲配信サーバの楽曲データベースには、カラオケ装置２で演奏可能な楽曲情報が複数記憶されている。楽曲情報は、メタデータと、カラオケ装置２の演奏処理で使用する実情報で構成されている。メタデータは、楽曲識別情報、楽曲名、アーティスト名など、楽曲を検索したり、楽曲の内容を表示するための各種情報である。本実施形態では、採点処理を実行した後、その結果を補正するための採点補正値を有している。
【００３５】
楽曲情報中、演奏処理に使用される実情報としては、演奏情報、歌詞情報、お手本情報を有している。演奏情報は、カラオケ装置２の音響制御部２５にて演奏される情報であって、ＭＩＤＩ情報、圧縮音声情報などを含んで構成される。歌詞情報は、演奏情報の演奏に同期してモニタ４１に歌詞を表示させるための情報であり、歌詞を示すテキスト情報の
他、演奏情報と同期を取るための同期情報を含んで構成される。お手本情報は、歌唱評価に使用される情報であり、採点処理では、歌唱用マイク４４から入力された歌唱音声情報を、このお手本情報と対比することで得点が算出される。先に説明した採点補正値は、お手本情報との対比によって算出された得点を補正するための情報である。
【００３６】
ユーザ情報には、ユーザがユーザ管理サーバにログインすることで、これら情報を利用するためのユーザ識別情報、パスワードが記憶されている。また、ユーザ情報には、ユーザ名（実際の名前に限ったものでなく、ニックネームであってもよい）、メールアドレス等を含んで構成される。また、本実施形態の楽曲投稿システムでは、有償サービスを行うため有価情報としてのポイントを管理可能としている。そのため、ユーザ情報には、各ユーザが現在所有するポイントを残ポイントとして記憶している。
【００３７】
さらに、本実施形態の楽曲投稿システムは、カラオケシステムから投稿サーバに対して、カラオケの様子を録画した投稿情報を投稿可能としている。投稿された投稿情報に関する情報は、投稿を行ったユーザのユーザ情報に投稿履歴として記憶される。投稿履歴には、投稿識別情報（投稿ＩＤ）の他、投稿を行った際、支払ったポイント数（支払いポイント）があわせて記憶される。
【００３８】
投稿情報は、カラオケシステムで歌唱の様子を録画した動画情報を含んで構成される情報であり、実情報としての動画情報の他、メタデータを含んで構成されている。このメタデータには、投稿情報を識別するための投稿識別情報、投稿を行ったユーザを示すユーザ識別情報、録画の際、あわせて行われた採点処理に基づく歌唱得点（本発明における「採点結果」）を有している。また、投稿サーバにて公開した際の、ユーザ端末での視聴回数（本発明における「第１の評価情報」）、そして、視聴により得られたアンケート回答（視聴者採点±：本発明における「第２の評価情報」）を含んで構成されている。
【００３９】
では、本発明に係る楽曲投稿システムの処理について、図４〜図７に示すシステムフロー図を用いて説明を行う。楽曲配信サーバは、楽曲制作環境から追加された新曲（新楽曲情報）あるいは更新された楽曲を、各カラオケ装置２に配信する（Ｓ４０１）。このカラオケ装置２に対する楽曲情報の配信は、定時処理などで定期的に行われる。新楽曲情報を受信したカラオケ装置２は、これをＨＤＤ３２に記憶（追加あるいは更新）することで、当該新楽曲情報による演奏が可能となる（Ｓ３０１）。
【００４０】
一方、カラオケ店舗に来店した歌唱ユーザは、リモコン装置１などのインターフェイスを利用して、ユーザ識別情報とパスワードを入力し（Ｓ３０２）、カラオケシステムへのログインを行う（Ｓ１０１）。入力されたユーザ識別情報とパスワードは、ユーザ管理サーバに送信され、ユーザ管理サーバは、ユーザ名でユーザデータベース中のユーザ情報を検索し（Ｓ６０１）、当該ユーザ情報のパスワードを受信したパスワードと照合する（Ｓ６０２）。照合した場合（Ｓ６０２：Ｙｅｓ）には、カラオケシステムにユーザ情報を送信することで、ログイン依頼のあったユーザをログインさせる（Ｓ３０３）。一方、照合しなかった場合（Ｓ６０２：Ｎｏ）には、ログインできなかった旨をカラオケシステムで通知する（Ｓ３０４）。
【００４１】
ログインしたユーザによる選曲が行われる、すなわち、カラオケシステムに対して楽曲識別情報が指定されると、カラオケシステムは、指定された楽曲識別情報に対応する楽曲情報を読み出し（Ｓ３０５）、演奏処理を実行する（Ｓ３０６）。図８には、楽曲を指定した際の楽曲確認画面が示されている。この楽曲確認画面は、リモコン装置１のタッチパネルモニタ１１に表示される画面であり、「予約」と表記されたボタンを操作することで、表示されている楽曲を予約指定することが可能となっている。予約された楽曲は、予約リストに追加され、順次、その演奏処理が実行される。本実施形態のカラオケシステムは
、複数のユーザが同時にログインすることが可能となっており、画面中、１０３にはログインしているユーザのアバターが表示されている。これらユーザは、「ユーザ切替」ボタン１０１を操作することで切り替えられる。また、ユーザアカウントを有していないユーザは、「ゲスト」ボタン１０２を操作することで、ゲストユーザとしての利用を可能としている。
【００４２】
また、本実施形態のカラオケシステムは、演奏処理に同期して、採点処理と録画処理を実行する（Ｓ３０６）。採点処理は、歌唱用マイク４４から入力された歌唱音声情報と、楽曲情報中のお手本情報とを対比することで歌唱得点を算出する処理である。録画処理は、歌唱時、カメラ４３にて撮像された撮像情報と、歌唱用マイク４４から入力される歌唱音声情報を動画情報として記録する処理である。録画処理で録画された動画情報は、投稿情報の実情報として使用される。なお、本発明では撮像情報と歌唱音声情報を含む動画情報を採用しているが、実情報としては少なくとも歌唱音声情報を含むものであればよい。ユーザによる歌唱（Ｓ１０３）の終了後、カラオケシステムは、録画された動画情報を投稿情報として、投稿サーバに送信するか否かをユーザに問う（Ｓ３０７）。
【００４３】
ユーザが投稿することを選択した場合（Ｓ１０４：Ｙｅｓ）、本実施形態では、投稿を行う際、採点処理の結果に応じて、有償での投稿、無償での投稿に分けられる。このように採点結果に応じて投稿を無償（あるいは減額）とする形態を採用することで、歌唱に優れたユーザの動画情報を多く収集することが可能となる。なお、採点処理の結果に応じて、投稿に必要な有価情報の減額の度合いを変更することとしてもよい。
【００４４】
また、本実施形態では、採点処理で算出された歌唱得点を、楽曲情報毎に記憶する採点補正値で補正する（Ｓ３０８）こととしており、楽曲間で生ずる歌唱得点のバラツキの抑制が図られている。補正後の歌唱得点が所定得点（本実施形態では８０点）より大きい場合（Ｓ３０９：Ｙｅｓ）には、無償で投稿することが可能となる。録画情報と、録画環境に基づくメタデータに基づいて投稿情報が生成（Ｓ３１２）され、生成された投稿情報は投稿サーバへとアップロードされる（Ｓ３１３）。
【００４５】
投稿情報を受信した投稿サーバは、投稿情報を投稿データベースに登録（Ｓ５０１）し、ユーザ端末に対する公開処理を実行する。また、投稿サーバへの投稿情報の登録に伴い、ユーザ管理サーバは、投稿したユーザのユーザ情報に投稿履歴を加える（Ｓ６０４）。
【００４６】
一方、補正後の歌唱得点が８０点以下の場合（Ｓ３０９：Ｎｏ）には、有償、すなわち、ポイントを支払うことで投稿することが可能となる。カラオケシステムは、ユーザに対してポイントの支払いを確認し、ユーザが支払いを許諾した場合（Ｓ１０５：Ｙｅｓ）には、ユーザ情報中の残ポイントから投稿に必要なポイント（本実施形態では１０ポイント）をユーザ情報から減額（Ｓ６０３）する決済処理を実行（Ｓ３１１）したことを条件に、投稿情報のアップロードを許可する（Ｓ３１３）。図９には、本発明の実施形態に係る投稿確認画面が示されている。ユーザは「支払う」と表記されたボタンを操作することで、所持するポイントから投稿に必要なポイントを支払い、投稿サーバへの投稿を行うことが可能である。また、ポイントの支払いに同意しないユーザは「投稿を止める」と表記されたボタンを操作することで、ポイントの支払い、並びに、投稿サーバへの投稿を中断することが可能である。
【００４７】
以上のような一連の投稿処理にて投稿サーバに投稿された投稿情報は、公開処理により、パーソナルコンピュータ等のユーザ端末へ広く公開される。本実施形態では、情報処理装置としてのユーザ端末に公開することとしているが、投稿情報は、カラオケシステムに対して公開することとしてもよい。図６に示されるシステムフロー図は、投稿された投稿情報の視聴に関する公開処理を示している。視聴ユーザが、ユーザ端末を操作して投稿動
画サイトにアクセス（Ｓ７０１）した場合、投稿動画サイトを提供する投稿サーバは、アクセスしてきたユーザ端末に対して、投稿動画を選択可能な投稿動画サイトページを出力し、ユーザ端末に表示させる（Ｓ２０１）。図１０には、この投稿動画サイトページの投稿情報選択画面が示されている。投稿情報選択画面には、各投稿情報について、動画情報中の１静止画であるサムネイル画像、ユーザ名、楽曲タイトル（楽曲名）などのメタデータが表示されており、投稿情報の選択が可能となっている。また、画面上段には、検索欄が設けられており、ユーザの入力したキーワードにより投稿情報を検索することが可能となっている。
【００４８】
このような投稿情報選択画面を使用して、ユーザによる投稿情報の選択が行われる（Ｓ７０２）と、投稿サーバは、選択された投稿情報に含まれる動画情報の配信を開始する。配信の形態は各種形態が考えられるが、本実施形態ではストリーミング配信を行うこととしている。ユーザ端末では配信された動画情報を再生（Ｓ２０２）を実行する。図１１には、ユーザ端末において動画情報を視聴するための投稿情報視聴画面が示されている。画面上方には、動画情報が撮像動画として表示される。また、録音された歌唱音声情報は、ユーザ端末のスピーカ等から音声出力される。撮像動画の下方には、再生操作を行うためのツールアイコンが表示され、一時停止、早送り、巻き戻し、音量調整などを可能としている。ユーザは、このツールアイコンを使用して動画情報の再生を行うことが可能である。
【００４９】
また、本実施形態では、動画情報を最後まで視聴したことを条件（Ｓ５０４：Ｙｅｓ）として、投稿情報の視聴回数（本発明における「第１の評価情報」）を加算するとともに、視聴ユーザは、投稿情報に対する評価を行うことを可能としている。投稿情報に対する評価（第１の評価情報）には、その視聴回数に代え、視聴ユーザによる投票数など、視聴ユーザによる客観的評価を反映した各種情報を採用することが可能である。投稿情報に対する評価は、投稿サーバにて出力される評価回答ページにて実行される（Ｓ５０６）。ユーザは、ユーザ端末で表示（Ｓ２０３）された評価回答ページにて、評価を選択することが可能である（Ｓ７０２）。
【００５０】
図１１の画面下方には、評価回答ページが表示されている。この評価回答ページでは、録画時に行われた採点処理にて算出され、採点補正値で補正された歌唱得点が表示される。評価を行う視聴ユーザは、表示された歌唱得点について、実際の視聴結果と比較して「高すぎ」、「ちょうど」、「低すぎ」の中から選択し、視聴ユーザ自身の評価を回答することが可能となっている（Ｓ７０２）。ユーザによって選択された評価は、アンケート回答として投稿情報内のメタデータ（視聴者採点±）に反映される。すなわち、回答結果が「高すぎ」の場合、視聴者採点±を所定値減算する。一方、「低すぎ」の場合、視聴者採点±を所定値加算する。そして、「ちょうど」の場合、視聴者採点±は前の値のままとする。
【００５１】
本実施形態では、各投稿情報毎に記憶された視聴者採点±を利用し、当該投稿情報に対する採点処理の難易度の調整を図ることとしている。本実施形態の場合、各楽曲毎に視聴者採点±を集計し、当該楽曲に対応付けられている採点補正値を補正することで、採点処理の難易度を調整しているが、難易度の調整は、採点補正値の補正に代え、採点処理の採点基準を調整する、あるいは、決済処理において無料となる基準歌唱得点（本実施形態では８０点）を各楽曲毎に変更してもよい。
【００５２】
図７には、視聴が行われた投稿情報について実行されるシステムフロー図が示されている。まず、ユーザ管理サーバは、１日の所定時を契機とする定時メンテナンス処理（Ｓ６０５）を開始する。この定時メンテナンス処理では、ユーザ管理サーバは、投稿サーバに対して視聴回数が所定回数（この例では１００回）以上となった投稿情報の問い合わせを
行う（Ｓ６０６）。問合せを受信した投稿サーバは、視聴回数が１００回以上の投稿情報の投稿識別情報をリストアップ（Ｓ５０８）し、各投稿識別情報に基づいて、Ｓ５０９〜Ｓ５１２の処理を実行する。
【００５３】
Ｓ５０９は、視聴回数が所定回数（この例では１００回）を超えた投稿情報について、その投稿時、ポイントが支払われた、すなわち、決済処理が行われた投稿楽曲のポイントを還付する処理である。このように本実施形態では、視聴回数が多い投稿情報は、視聴ユーザによる評価が高いものであって、本楽曲投稿サービスに貢献度が大きいものであるため、投稿時に支払われたポイントを投稿ユーザに還付することとしている（本発明における「決済無効処理」）。投稿サーバでは、所定回数を超えた楽曲の楽曲識別情報と、それを投稿したユーザのユーザ識別情報をユーザ管理サーバに送信する（Ｓ５０９）。ユーザ管理サーバでは、受信した投稿識別情報とユーザ識別情報に基づき、ユーザ情報中の投稿履歴を検索し、その投稿時、ポイントが支払われたか否か判定する（Ｓ６０８）。支払いが無い場合（Ｓ６０８：Ｎｏ）、ユーザ管理サーバでは、当該投稿情報に関する処理を終了する。
【００５４】
一方、支払いが行われている場合（Ｓ６０８：Ｙｅｓ）には、投稿を行ったユーザに対し、当該投稿情報の投稿時に支払われたポイントを還付する還付処理を実行する（Ｓ６０９）。本実施形態では、投稿時に支払われた全てのポイントを還付することとしているが、その一部を還付することとしてもよい。あるいは、視聴回数が多くなるほど還付率を大きくすることとしてもよい。さらに、本実施形態では、ユーザ情報中に記憶されているメールアドレスに対して、ポイント還付を通知するメールをユーザ端末に送信する通知処理を実行可能としている（Ｓ６１０）。
【００５５】
図１２には、本発明の実施形態に係るユーザ端末上での通知メール画面が示されている。投稿ユーザは、ユーザ端末で受信した通知メールを見ることで、どの投稿情報に対してポイント還付が行われたかを知ることが可能である（Ｓ１０６）。ポイント還付の通知は、このようにユーザ端末に対してメールを送信する形態の他、投稿情報を視聴するためユーザ端末で、投稿サーバにログインした際、あるいは、歌唱のためカラオケシステムにログインした際に通知する等、適宜形態を採用することが可能である。
【００５６】
さらに、本実施形態では、１００回を超えて視聴された投稿情報について、その投稿情報に対して付与された視聴者採点±に基づき、録画時に使用された楽曲情報の採点補正値を補正することとしている。Ｓ５１０では、対象となっている投稿情報の視聴者採点±を読み出し、第１の閾値（＋８０）以上、あるいは、第２の閾値（−８０以上）以下であったかを判定する。Ｓ５１０の条件を満たしている場合（Ｓ５１１：Ｙｅｓ）には、採点補正値をプラスまたはマイナスする採点補正要求を楽曲配信サーバに対して送信する（Ｓ５１２）。
【００５７】
楽曲配信サーバは、受信した採点補正要求に基づき、対象となる楽曲情報の採点補正値を補正する。具体的には、視聴採点±が＋８０以上である場合、視聴ユーザの評価は「低すぎ」が多いため、採点補正値に１０点加算する。また、視聴採点±が−８０以下である場合、視聴ユーザの評価は「高すぎ」が多いため、採点補正値から１０点減算する（Ｓ４０２）。楽曲配信サーバ内での楽曲情報の更新は、Ｓ４０１の定時処理でカラオケシステム側の楽曲情報にも反映されることになり、以後の採点処理では、視聴ユーザによる評価が反映されたものとなる。
【００５８】
以上、説明したＳ５０９〜Ｓ５１２の処理を各投稿識別情報毎に実行することで、所定回数を超えて視聴された投稿情報の投稿ユーザに対するポイント還付、並びに、投稿時に使用された楽曲情報の採点補正値の補正を行うことが可能となる。なお、採点補正値の補
正は、所定回数を超えて視聴された投稿情報に対して行うことに代え、全ての投稿情報の視聴者採点±を楽曲毎に集計し、当該楽曲の採点補正値に反映することとしてもよい。また、補正の対象は、決済処理において無料となる基準歌唱得点（本実施形態では８０点）を各楽曲毎に変更することとしてもよい。
【００５９】
なお、本発明はこれらの実施形態のみに限られるものではなく、それぞれの実施形態の構成を適宜組み合わせて構成した実施形態も本発明の範疇となるものである。
【符号の説明】
【００６０】
１ａ、１ｂ…リモコン装置、１１…タッチパネルモニタ、１１ａ…表示部、１１ｂ…タッチパネル、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…ＬＡＮ通信部、２５…音響制御部、２７…メモリ、２８…ビデオＲＡＭ、２９…映像再生部、３０…制御部、３１…映像制御部、３２…ハードディスク、４１…モニタ、４２…スピーカ、４３…カメラ、４４ａ、４４ｂ…歌唱用マイク、１００…ＬＡＮ、１１０…アクセスポイント、１２０…ルータ
【図１】
0006020828.tif 000002
【図２】
0006020828.tif 000003
【図３】
0006020828.tif 000004
【図４】
0006020828.tif 000005
【図５】
0006020828.tif 000006
【図６】
0006020828.tif 000007
【図７】
0006020828.tif 000008
【図８】
0006020828.tif 000009
【図９】
0006020828.tif 000010
【図１０】
0006020828.tif 000011
【図１１】
0006020828.tif 000012
【図１２】
0006020828.tif 000013